(57)【要約】【課題】擬似色化に伴う印刷用画像データの変換方法であって、重ね刷り状態を適切に表現する色濃度値を得る方法を提供する。【解決手段】ある画像領域における一のプロセスカラーの本来色濃度値をＰi（ｉ＝Ｃ，Ｍ，Ｙ，Ｋのいずれか）とし、特色の本来色濃度値をｓとし、該特色からプロセスカラーへの擬似色変換率をＧiとし、変換演算によって得られるプルーフ色濃度値をＨiとするとき、変換演算部４が、ラスターデータＤＲからＰiとｓとを取得するとともに、特色情報ＩＳからＧiを取得して、Ｈi＝Ｐi＋(１−Ｐi)・ｓ・Ｇiなる変換演算により、各画像領域について、画素単位、各プロセスカラー単位で、プルーフ色濃度値Ｈiを算出する。プルーフ色濃度値Ｈiにおいては、色濃度が飽和することはなく、プロセスカラーの階調変化と特色の階調変化がともに反映される。【選択図】図２
2006303686.tif 000002
【特許請求の範囲】
【請求項１】
所定の画像データ処理装置に備わる所定の変換手段によって、特色とプロセスカラーとを第１色成分として含む第１画像データを、プロセスカラーのみを第２色成分として含む第２画像データに変換する画像データの変換方法であって、
前記第１画像データから前記第１色成分についての第１色濃度値を取得する工程と、
前記特色についての擬似色濃度値を得るための変換係数を含む変換情報を所定の記憶手段から読み出す工程と、
前記第１色濃度値と前記変換係数とに基づいて前記第２色成分のそれぞれについての第２色濃度値を算出することにより、前記第１画像データを前記第２画像データに変換する変換工程と、
を備え、
前記変換工程においては、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、
Ｈi＝Ｐi＋ｓ・Ｇi−Ｐi・ｓ・Ｇi
なる演算式にて算出する、
ことを特徴とする画像データの変換方法。
【請求項２】
所定の画像データ処理装置に備わる所定の変換手段によって、特色とプロセスカラーとを第１色成分として含む第１画像データを、プロセスカラーのみを第２色成分として含む第２画像データに変換する画像データの変換方法であって、
前記第１画像データから前記第１色成分についての第１色濃度値を取得する工程と、
前記特色についての擬似色濃度値を得るための変換係数を含む変換情報を所定の記憶手段から読み出す工程と、
前記第１色濃度値と前記変換係数とに基づいて前記第２色成分のそれぞれについての第２色濃度値を算出することにより、前記第１画像データを前記第２画像データに変換する変換工程と、
を備え、
前記変換工程においては、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、
Ｈi＝Ｐi＋(１−Ｐi)・ｓ・Ｇi
なる演算式にて算出する、
ことを特徴とする画像データの変換方法。
【請求項３】
所定の画像データ処理装置に備わる所定の変換手段によって、２つの特色を第１色成分として含む第１画像データを、プロセスカラーのみを第２色成分として含む第２画像データに変換する画像データの変換方法であって、
前記第１画像データから前記第１色成分についての第１色濃度値を取得する工程と、
前記２つの特色のそれぞれについての擬似色濃度値を得るための変換係数を含む変換情報を所定の記憶手段から読み出す工程と、
前記第１色濃度値と前記変換係数とに基づいて前記第２色成分のそれぞれについての第２色濃度値を算出することにより、前記第１画像データを前記第２画像データに変換する変換工程と、
を備え、
前記変換工程においては、全ての色濃度値について最大値が１となるように定義する場合に、前記第２色成分のそれぞれについて、前記第１色濃度値に当該第２色成分に係る前記変換係数を乗ずることによって前記２つの特色のそれぞれについての擬似色濃度値を算出したうえで、当該擬似色濃度値の総和から、当該擬似色濃度値どうしの積を差し引くことによって前記第２色濃度値を算出する、
ことを特徴とする画像データの変換方法。
【請求項４】
特色とプロセスカラーとを第１色成分として含む第１画像データを、プロセスカラーのみを第２色成分として含む第２画像データに変換する画像データ変換装置であって、
前記第１画像データから前記第１色成分についての第１色濃度値を取得する取得手段と、
前記特色についての擬似色濃度値を得るための変換係数を含む変換情報を記憶する記憶手段と、
前記記憶手段から前記変換係数を読み出す読出手段と、
前記第１色濃度値と前記変換係数とに基づいて前記第２色成分のそれぞれについての第２色濃度値を算出することにより、前記第１画像データを前記第２画像データに変換する変換手段と、
を備え、
前記変換手段は、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、
Ｈi＝Ｐi＋ｓ・Ｇi−Ｐi・ｓ・Ｇi
なる演算式にて算出することによって変換を行う、
ことを特徴とする画像データ変換装置。
【請求項５】
特色とプロセスカラーとを第１色成分として含む第１画像データを、プロセスカラーのみを第２色成分として含む第２画像データに変換する画像データ変換装置であって、
前記第１画像データから前記第１色成分についての第１色濃度値を取得する取得手段と、
前記特色についての第１色濃度値から擬似色濃度値を得るための変換係数を含む変換情報を記憶する記憶手段と、
前記記憶手段から前記変換係数を読み出す読出手段と、
前記第１色濃度値と前記変換係数とに基づいて前記第２色成分のそれぞれについての第２色濃度値を算出することにより、前記第１画像データを前記第２画像データに変換する変換手段と、
を備え、
前記変換手段は、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、
Ｈi＝Ｐi＋(１−Ｐi)・ｓ・Ｇi
なる演算式にて算出することによって変換を行う、
ことを特徴とする画像データ変換装置。
【請求項６】
２つの特色を第１色成分として含む第１画像データを、プロセスカラーのみを第２色成分として含む第２画像データに変換する画像データ変換装置であって、
前記第１画像データから前記第１色成分についての第１色濃度値を取得する取得手段と、
擬似色濃度値を得るための変換係数を含む変換情報を記憶する記憶手段と、
前記記憶手段から前記２つの特色のそれぞれについての変換係数を読み出す読み出す読出手段と、
前記第１色濃度値と前記変換係数とに基づいて前記第２色成分のそれぞれについての第２色濃度値を算出することにより、前記第１画像データを前記第２画像データに変換する変換手段と、
を備え、
前記変換手段は、全ての色濃度値について最大値が１となるように定義する場合に、前記第２色成分のそれぞれについて、前記第１色濃度値に当該第２色成分に係る前記変換係数を乗ずることによって前記２つの特色のそれぞれについての擬似色濃度値を算出したうえで、当該擬似色濃度値の総和から、当該擬似色濃度値どうしの積を差し引くことによって前記第２色濃度値を算出することによって変換を行う、
ことを特徴とする画像データ変換装置。
【請求項７】
コンピュータによって実行されることにより、前記コンピュータを請求項１ないし請求項３のいずれかに記載のデータ変換方法を実行するデータ処理装置の変換手段として機能させることを特徴とするプログラム。
【請求項８】
コンピュータによって実行されることにより、前記コンピュータを請求項４ないし請求項６のいずれかに記載のデータ変換装置として機能させることを特徴とする特徴とするプログラム。
【発明の詳細な説明】
【技術分野】
【０００１】
本発明は、特色印刷における色表現を該特色を含まない色表現に変換する技術、特に重ね刷り状態の色濃度値を適切に定めるための技術に関する。
【背景技術】
【０００２】
多くのカラー印刷物は、プロセスカラーと呼ばれる基本色（通常は、Ｃ（シアン）、Ｍ（マゼンタ）、Ｙ（イエロー）、Ｋ（ブラック）の４色）それぞれに用意された版（プロセス版）を用いることにより（無版印刷の場合は各色成分ごとの版に対応する色濃度値のデータを用いて）印刷される。さらに、プロセス版では十分に表現できない色や変動が許されない色についての印刷が必要な場合には、要求される色を正確に表現するため、「特色」と呼ばれる特別のインキが準備されるとともに、特色印刷専用の版を追加した印刷がなされるのが通例である。係る場合、出力装置がこの特色印刷に対応していることは言うまでもない。
【０００３】
ところで、印刷物の作成に際しては通常、色校正を行う等の目的で、本出力に先立ってプルーフ出力がなされる。あるいは、レイアウト工程において、特色印刷の色表現についてシミュレーションを行う場合などもあり得る。こうした目的で行う出力（以降、特段の記載のない場合は後者も含めてプルーフ出力と呼ぶこととする）においては、出力部数は少なくてよく、またコスト抑制のためもあって、大量部数の出力を前提とする本出力用の出力装置とは異なる出力装置（プルーフ出力に用いるものは「プルーファ」とも称される）が用いられるのが一般的である。しかし、こうした出力装置には、特色を含む出力に対応しておらず、プロセス版による出力のみが可能なものが少なくない。そのため、こうした出力装置を特色を含む印刷物のプルーフ出力に用いる場合には、特色版についての出力をすることが出来ず、結局のところ色表現の確認などの目的に合致した出力が行えないことになる。そこで従来より、このような出力装置でも特色を含む出力を擬似的に実現すべく、特色の色濃度値（あるいは網点面積率）をプロセスカラーの色濃度値に変換する処理を行ったうえで出力を行うことが、よくなされている。そして、このように特色の色濃度値をプロセスカラーの色濃度値に変換する処理は、「擬似色化」とも称されている。このような色変換処理については、種々の手法が公知になっている（例えば、特許文献１ないし特許文献３参照。）。
【０００４】
【特許文献１】特開２００１−１５７０７４号公報
【特許文献２】特開２００３−７８７７８号公報
【特許文献３】特開平１０−２４８０１７号公報
【発明の開示】
【発明が解決しようとする課題】
【０００５】
特色を用いた印刷物を作成するにあたって、特色のインクと他の色のインクとが重なることがないような色指定がなされているのであれば、特色版については単色で印刷しているのと実質的に同じである。よって、この場合は、擬似色化を行ったうえでのプルーフ出力においても、特色が指定されていた部分については擬似色化により得られるプロセスカラーの色濃度値を用いて出力を行えば、特色をできるだけ忠実に再現したプロセスカラーのみによる出力を実現することが出来る。
【０００６】
一方、特色と他の色とが重ね刷りされるように色指定がなされている場合、擬似色化を伴ってプルーフ出力をするには、この重ね刷りされた状態をプロセスカラーのみで表現することが必要となる。この場合、擬似色化により得られる、特色を出来るだけ擬似的に表現するはずのプロセスカラーの色濃度値を、プロセスカラーについてもともと指定されている（本出力用の）色濃度値とを適宜の方法によって合成することで、プルーフ出力用のの色濃度値を得ることになるが、この合成によって得られる色濃度値が、重ね刷りされた状態をできるだけ忠実に表現していることが求められる。
【０００７】
特許文献１ないし特許文献３には、いずれも、印刷に用いられる特色について、擬似色化により得られるプロセスカラーの（もしくはプルーファ用の色空間における）色濃度値（これを「擬似色濃度値」と称する）を種々の方法によって与え、これを各プロセスカラーについて与えられている本出力用の色濃度値（これを「本来色濃度値」と称する）と所定の方法によって合成することによりプルーフ出力に用いるプロセスカラーの色濃度値（これを「プルーフ色濃度値」と称する）を得る、という点で共通する技術が開示されている。
【０００８】
係る合成の比較的単純な態様としては、各色成分ごとに、擬似色濃度値と本来色濃度値との単純和を求め、これをプルーフ色濃度値とする方法がある（これを「Ａｄｄ合成法」と称する）。特許文献１においては、ＲＧＢ色空間やＬ*ａ*ｂ*空間においてＡｄｄ合成法を適用する場合が例示されている。しかしながら、印刷について通常用いられるＣＭＹＫ色空間でこの処理を行うと、％表示の場合であれば計算上は和が１００％を越える場合が起こりうるが、実際の印刷においては１００％で色濃度が飽和してしまうため、重ね刷り状態を反映した階調表現が出来ないことになる。
【０００９】
また、同様に簡易な方法として、各画素についてプロセスカラーの各色成分ごとに擬似色濃度値と本来色濃度値を比較し、値の大きい方をプルーフ色濃度値として採用する、という方法（これを「ＭＡＸ合成法」と称する）が考えられる。特許文献２には、プロセスカラーと特色とをそれぞれ網点化処理した後、いずれかの網点デーが「１」である領域については合成後の網点データを「１」とする、という処理が開示されているが、これは実質的にはＭＡＸ合成法に相当する。ＭＡＸ合成法の場合、色濃度値が１００％を越えることはなく、また、少なくとも一方の色濃度値が０である領域についてはＡｄｄ合成法と同様のプルーフ色濃度値が得られるが、両方が０でない値をとる領域については小さい方の値が本来の出力異なるものとなってしまうので、重ね刷り状態を忠実に表現しているとはいえなくなってしまう、という問題がある。
【００１０】
また、特許文献３においては、擬似色濃度値と本来色濃度値とがともに０でない場合には重ね刷り順序を考慮し、表面層を形成することになる版の色濃度値を採用する態様（ただし色濃度はベクトルとして表現されている）が例示されているが、この場合も他方の版の色濃度値は無視されることになるので、重ね刷り状態を忠実に表現しているとはいえなくなってしまうという点ではＭＡＸ合成法と同じである。
【００１１】
本発明は、上記課題に鑑みてなされたものであり、特色を含む色表現がなされている印刷用画像データを該特色を含まない色表現の印刷用画像データに変換する印刷用画像データ変換装置、およびその変換方法であって、後者の印刷用画像データにおいて重ね刷り状態を表現する色濃度値を適切に与えることが出来る装置および方法を提供することを目的とする。
【課題を解決するための手段】
【００１２】
上記課題を解決するため、請求項１の発明は、所定の画像データ処理装置に備わる所定の変換手段によって、特色とプロセスカラーとを第１色成分として含む第１画像データを、プロセスカラーのみを第２色成分として含む第２画像データに変換する画像データの変換方法であって、前記第１画像データから前記第１色成分についての第１色濃度値を取得する工程と、前記特色についての擬似色濃度値を得るための変換係数を含む変換情報を所定の記憶手段から読み出す工程と、前記第１色濃度値と前記変換係数とに基づいて前記第２色成分のそれぞれについての第２色濃度値を算出することにより、前記第１画像データを前記第２画像データに変換する変換工程と、を備え、前記変換工程においては、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、Ｈi＝Ｐi＋ｓ・Ｇi−Ｐi・ｓ・Ｇiなる演算式にて算出する、ことを特徴とする。
【００１３】
また、請求項２の発明は、所定の画像データ処理装置に備わる所定の変換手段によって、特色とプロセスカラーとを第１色成分として含む第１画像データを、プロセスカラーのみを第２色成分として含む第２画像データに変換する画像データの変換方法であって、前記第１画像データから前記第１色成分についての第１色濃度値を取得する工程と、前記特色についての擬似色濃度値を得るための変換係数を含む変換情報を所定の記憶手段から読み出す工程と、前記第１色濃度値と前記変換係数とに基づいて前記第２色成分のそれぞれについての第２色濃度値を算出することにより、前記第１画像データを前記第２画像データに変換する変換工程と、を備え、前記変換工程においては、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、Ｈi＝Ｐi＋(１−Ｐi)・ｓ・Ｇiなる演算式にて算出する、ことを特徴とする。
【００１４】
また、請求項３の発明は、所定の画像データ処理装置に備わる所定の変換手段によって、２つの特色を第１色成分として含む第１画像データを、プロセスカラーのみを第２色成分として含む第２画像データに変換する画像データの変換方法であって、前記第１画像データから前記第１色成分についての第１色濃度値を取得する工程と、前記２つの特色のそれぞれについての擬似色濃度値を得るための変換係数を含む変換情報を所定の記憶手段から読み出す工程と、前記第１色濃度値と前記変換係数とに基づいて前記第２色成分のそれぞれについての第２色濃度値を算出することにより、前記第１画像データを前記第２画像データに変換する変換工程と、を備え、前記変換工程においては、全ての色濃度値について最大値が１となるように定義する場合に、前記第２色成分のそれぞれについて、前記第１色濃度値に当該第２色成分に係る前記変換係数を乗ずることによって前記２つの特色のそれぞれについての擬似色濃度値を算出したうえで、当該擬似色濃度値の総和から、当該擬似色濃度値どうしの積を差し引くことによって前記第２色濃度値を算出する、ことを特徴とする。
【００１５】
また、請求項４の発明は、特色とプロセスカラーとを第１色成分として含む第１画像データを、プロセスカラーのみを第２色成分として含む第２画像データに変換する画像データ変換装置であって、前記第１画像データから前記第１色成分についての第１色濃度値を取得する取得手段と、前記特色についての擬似色濃度値を得るための変換係数を含む変換情報を記憶する記憶手段と、前記記憶手段から前記変換係数を読み出す読出手段と、前記第１色濃度値と前記変換係数とに基づいて前記第２色成分のそれぞれについての第２色濃度値を算出することにより、前記第１画像データを前記第２画像データに変換する変換手段と、を備え、前記変換手段は、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、Ｈi＝Ｐi＋ｓ・Ｇi−Ｐi・ｓ・Ｇiなる演算式にて算出することによって変換を行う、ことを特徴とする。
【００１６】
また、請求項５の発明は、特色とプロセスカラーとを第１色成分として含む第１画像データを、プロセスカラーのみを第２色成分として含む第２画像データに変換する画像データ変換装置であって、前記第１画像データから前記第１色成分についての第１色濃度値を取得する取得手段と、前記特色についての擬似色濃度値を得るための変換係数を含む変換情報を記憶する記憶手段と、前記記憶手段から前記変換係数を読み出す読出手段と、前記第１色濃度値と前記変換係数とに基づいて前記第２色成分のそれぞれについての第２色濃度値を算出することにより、前記第１画像データを前記第２画像データに変換する変換手段と、を備え、前記変換手段は、前記第２色成分の１つをｉと表し、色成分ｉについての第１色濃度値をＰi、前記変換係数をＧi、前記特色についての第１色濃度値をｓとし、全ての色濃度値について最大値が１となるように定義する場合に、前記第２色濃度値Ｈiを、Ｈi＝Ｐi＋(１−Ｐi)・ｓ・Ｇiなる演算式にて算出することによって変換を行う、ことを特徴とする。
【００１７】
また、請求項６の発明は、２つの特色を第１色成分として含む第１画像データを、プロセスカラーのみを第２色成分として含む第２画像データに変換する画像データ変換装置であって、前記第１画像データから前記第１色成分についての第１色濃度値を取得する取得手段と、擬似色濃度値を得るための変換係数を含む変換情報を記憶する記憶手段と、前記記憶手段から前記２つの特色のそれぞれについての変換係数を読み出す読み出す読出手段と、前記第１色濃度値と前記変換係数とに基づいて前記第２色成分のそれぞれについての第２色濃度値を算出することにより、前記第１画像データを前記第２画像データに変換する変換手段と、を備え、前記変換手段は、全ての色濃度値について最大値が１となるように定義する場合に、前記第２色成分のそれぞれについて、前記第１色濃度値に当該第２色成分に係る前記変換係数を乗ずることによって前記２つの特色のそれぞれについての擬似色濃度値を算出したうえで、当該擬似色濃度値の総和から、当該擬似色濃度値どうしの積を差し引くことによって前記第２色濃度値を算出することによって変換を行う、ことを特徴とする。
【００１８】
また、請求項７の発明は、コンピュータによって実行されることにより、前記コンピュータを請求項１ないし請求項３のいずれかに記載のデータ変換方法を実行するデータ処理装置の変換手段として機能させることを特徴とする。
【００１９】
また、請求項８の発明は、コンピュータによって実行されることにより、前記コンピュータを請求項４ないし請求項６のいずれかに記載のデータ変換装置として機能させることを特徴とする特徴とする。
【発明の効果】
【００２０】
請求項１ないし請求項８の発明によれば、特色を含んで表現される第１画像データを、プロセスカラーのみで表現される第２画像データに変換する場合に、第１画像データにおいて重ね刷りが生じている場合であっても、変換によって得られる第２画像データにおいて色濃度が飽和することはなく、プロセスカラーの階調変化と特色の階調変化がともに反映される。これにより、ラスターデータからのプルーフ用画像データの生成に際し、擬似色化を伴う場合であっても、従来法よりも適切な色表現がなされた画像データを生成することが出来る。
【発明を実施するための最良の形態】
【００２１】
＜第１の実施の形態＞
＜装置構成＞
図１は、第１の実施の形態に係る画像データ変換装置１の構成を概略的に示す図である。画像データ変換装置１は、例えばコンピュータによって実現される装置である。画像データ変換装置１は、所定のプログラム１３ｐを実行することにより、特色を含む複数の色成分について画素単位で色指定された（つまりは本来色濃度値が与えられている）ビットマップ形式の印刷用画像データ（例えばラスタライズ処理により得られたラスターデータ）を、該特色を含まないビットマップ形式の画像データを生成するためのものである。
【００２２】
係る画像データ変換装置１は、上述した画像データの変換が必要となるのであれば、印刷ワークフローのどの段階においても使用することが可能である。また、一のコンピュータが画像データ変換装置１の機能のみを有するように構成される必要はなく、該コンピュータにおいて他のプログラムが実行されることにより、異なる機能が実現されることになっていてもよい。具体的に言えば、例えばレイアウト工程において、作成しようとする印刷物の色表現をシミュレーションする際に使用されてもよいし、プルーフ出力に際して使用されてもよい。前者の場合であれば、レイアウト処理用のコンピュータが画像データ変換装置１の機能を有してもよいし、後者の場合であれば、ラスタライズ処理やスクリーニング処理をも一のコンピュータで行えるようになっていてもよい。
【００２３】
画像データ変換装置１は、図１に示すように、オペレータが各種の指示を入力するためのマウスやキーボードなどからなる操作部１１と、ディスプレイ等の表示部１２と、ハードディスクなどにより構成され、該コンピュータを画像データ変換装置１として機能させるためのプログラム１３ｐや、処理対象となる画像データや、さらには特色を擬似色化する際に必要な情報（特色情報）などを保存するための記憶部１３と、ＤＶＤ−ＲＡＭ／ＲＷ、ＣＤ−ＲＷなど種々の可搬性の記録媒体との間でデータのリード／ライトを行うメディアリーダ／ライタなどからなるＲ／Ｗ部１４と、画像データ変換装置１が図示しないネットワークに接続されている場合に、ネットワーク上の他の装置との間でデータの受け渡しを行うためのインターフェースとしての通信部１５と、ＣＰＵ１６ａ、ＲＯＭ１６ｂ、およびＲＡＭ１６ｃから構成され、後述する各機能を実現する制御部１６とを主として備える。
【００２４】
なお、画像データ変換装置１においては、操作部１１を通じた操作内容や、種々の処理についての処理状況などを表示部１２にて表示させつつ処理を行うことができる、いわゆるＧＵＩ（Graphical User Interface）が、制御部１６、操作部１１、表示部１２の機能により実現されている。制御部１６に実現される後述する各部における処理も、必要に応じてこのＧＵＩを用いて行われる。
【００２５】
図２は、画像データ変換装置１の制御部１６において実現される機能を説明するための図である。制御部１６においては、記憶部１３に記憶されている所定のプログラム１３ｐ（図１）が実行されることにより、ＣＰＵ１６ａ、ＲＯＭ１６ｂ、およびＲＡＭ１６ｃの作用によって、データ取得部２と、変換処理指示部３と、変換演算部４と、出力処理部５とが、主として実現される。これらの各部に加えて、さらに特性情報生成部６が備わっていてもよい。以降、各部について説明する。また、図２には、画像データ変換装置１における種々の処理の際のデータの流れを併せて示しており、画像データ変換装置１における処理の流れについても併せて説明する。
【００２６】
なお、図１においては図示を省略したが、記憶部１３には、特色情報データベース（特色情報ＤＢ）１３ｄが設けられている。特色情報データベース１３ｄは、ラスターデータＤＲに用いられる可能性のある特色について、その名称もしくは識別情報と、擬似色変換率（後述）を含む特色情報ＩＳを、あらかじめ登録してなるデータベースである。
【００２７】
データ取得部２は、印刷用のレイアウトデータに対するラスタライズ処理が所定の手段によって実行されることで生成されてなる、ビットマップ形式の画像データであるラスターデータＤＲを、画像データ変換装置１の外部から取得する処理を担う。該ラスターデータＤＲが、画像データ変換装置１における変換処理の主たる対象の画像データである。画像データ変換装置１における変換処理は、このラスターデータＤＲの取得により開始される。
【００２８】
データ取得部２によるラスターデータＤＲの取得は、所定の可搬性の記録媒体にラスターデータＤＲが記録されでいる場合であれば、Ｒ／Ｗ部１４の作用により該記録媒体からこれを読み出すことによって実現される。一方、ネットワーク経由で所定の外部装置から取得する場合であれば、通信部１５を介して該外部装置にアクセスすることによって実現される。
【００２９】
データ取得部２は、取得したラスターデータＤＲを参照して、その構成に係る情報（取得データ情報ＩＤ）を生成し、これを変換処理指示部３に与える。取得データ情報ＩＤには、少なくとも、ラスターデータＤＲにおける特色の存在の有無と、特色が存在する場合にはその名称もしくは所定のルールによって定められた識別情報が記述される。取得データ情報ＩＤのデータフォーマットは特に限定されない。
【００３０】
その一方、データ取得部２によって取得されたラスターデータＤＲは、変換処理が行われることになるまで、記憶部１３にいったん記憶される。あるいは、ＲＡＭ１６ｃにおいて一時的に記憶する態様であってもよい。
【００３１】
変換処理指示部３は、ある特色を含むラスターデータＤＲについての変換処理を次述する変換演算部４に実行させるための実行指示に係る処理を担う。具体的には、あるラスターデータＤＲに係る変換処理について、ＧＵＩによる図示しない実行メニューを、表示部１２に表示させる。そして、該実行メニューにおいては、該ラスターデータＤＲに用いられている特色について変換処理の対象とするか否かが選択可能とされる。これは、取得データ情報ＩＤに記述されている特色の名称等を取得することにより可能である。また、変換処理指示部３は、オペレータによって例えばマウスで所定のボタンをクリックするなどの所定の処理開始指示操作がなされると、これに応答して、変換演算部４に対し変換処理の対象とするラスターデータＤＲおよび擬似色化する特色の情報を含んだ処理開始信号を与える。
【００３２】
変換演算部４は、変換処理指示部３からの処理開始信号に応答して、特色を含むラスターデータＤＲを該特色を含まないラスターデータであるプルーフ出力用データＤＰに変換する変換演算処理を実行する。変換演算部４は、処理開始信号に応答して、読出要求信号を記憶部３に与え、対象となるラスターデータＤＲを記憶部３から読み出すとともに、対象となる特色の擬似色変換率を含む特色情報ＩＳを特色情報データベース１３ｄから取得し、変換演算処理を実行する。なお、その際には、ＲＡＭ１６ｃにあらかじめ割り当てられた演算処理領域が用いられるものとする。
【００３３】
なお、本実施の形態においては、ラスターデータＤＲが、プロセスカラーの他に１つの特色を色成分として含むデータとして与えられており、該特色を擬似色化しプルーフ出力用データＤＰを生成する場合を考える。
【００３４】
いま、ある画像領域（同一の色指定がなされている一または複数の画素からなる領域）における一のプロセスカラーの本来色濃度値をＰi（例えばｉ＝Ｃ，Ｍ，Ｙ，Ｋのいずれか、以下同じ）とし、特色の本来色濃度値をｓとし、該特色からプロセスカラーへの擬似色変換率をＧiとし（この場合プロセスカラーが例えばＣＭＹＫであれば、擬似色濃度値が、例えばｓ・Ｇc，ｓ・Ｇm，ｓ・Ｇy，ｓ・Ｇkとなどと表されることになる）、変換演算によって得られるプルーフ色濃度値をＨiとするとき、変換演算部４においては、
Ｈi＝Ｐi＋ｓ・Ｇi−Ｐi・ｓ・Ｇi          （式１）
なる変換演算により、プルーフ出力用データＤＰを生成する。なお、いずれの色濃度値についても、インクが乗らない状態を０、ベタ状態を１とする。つまりは、０≦Ｐi≦１、０≦ｓ≦１、０≦Ｈi≦１である。また、擬似色変換率Ｇiは、特色を擬似色化するときに、特色の本来色濃度値ｓを各プロセスカラーについての擬似色濃度値に変換する際の変換係数に相当する。つまりは、ｓ・Ｇiがプロセスカラーについての擬似色濃度値となる。よって、Ｇiは、特色版がベタ状態のときの擬似色濃度値と一致する値である。また、０≦Ｇi≦１である。
【００３５】
すなわち、変換演算部４は、ラスターデータＤＲからプロセスカラーの本来色濃度値Ｐiと特色の本来色濃度値をｓとを取得するとともに、該特色の擬似色変換率Ｇiを特色情報ＩＳから取得して、式１の変換演算を行うことにより、各画像領域について、画素単位、各プロセスカラー単位で、プルーフ色濃度値Ｈiを算出する。その値の集合が、プルーフ出力用データＤＰに相当することになる。なお、式１が持つ具体的な意味合いについては後述する。
【００３６】
出力処理部５は、プルーフ出力用データＤＰをプルーフ出力に供すべく、画像データ変換装置１の外部に備わる出力装置と受け渡すために必要な処理を担う。
【００３７】
特性情報生成部６は、取得されたラスターデータＤＲに用いられている特色についての特色情報ＩＳが特色情報ＤＢに記憶されていない場合、これを新たに作成して、特色情報データベース１３ｄに格納する処理を担う。特性情報生成部６は、対象となる特色の擬似色変換率が例えばインクメーカー等からあらかじめ公表されているなど既知の場合は、その値を入力することが可能であり、未知の場合は、いわゆる測色計などの公知の所定の測色手段によって測色を行い、得られた色濃度値を取得可能であるように設けられる。
【００３８】
＜変換演算処理の詳細＞
次に、本実施の形態において行われる画像データの変換処理（色変換処理）の具体的な変換演算処理に用いられる。式１の持つ意味合いについて説明する。本印刷におけるプロセスカラーと特色との重ね刷りは、プロセスカラーと特色のそれぞれの網点パターンの重なり状態として想定されることから、本実施の形態においては、以下に示すように、係る網点パターンの重なり状態に基づいて式１を導き出している。
【００３９】
まず、図３（ａ）は、ある一つのプロセスカラーについて、そのプロセス版により得られる網点パターンＰＴ１を模式的に示す図である（ただし、図示の制限上、必ずしも実際の色成分および色濃度が表現されてはいない。以降の図においても同様。）。網点パターンＰＴ１は、図中太線で囲んだ単位網点領域ＲＥ１の繰り返しにより構成されてなる。各単位網点領域ＲＥ１には、網点ＳＤ１が形成されてなる。該プロセスカラーの本来色濃度値を上述のようにＰiと表すものとする。図３（ａ）は、Ｐi＝０．８２の場合を例示している。網点パターンにおいては、いうまでもなく係る色濃度値が網点面積率に相当する。色濃度値が１ではないので、網点パターンＰＴ１にはインクが乗らない（紙白の）空白領域Ｗ１が存在する。
【００４０】
一方、図３（ｂ）は、特色について、特色版により得られる網点パターンＰＴ２を模式的に示す図である。網点パターンＰＴ２も同様に、図中太線で囲んだ単位網点領域ＲＥ２の繰り返しにより構成されてなる。各単位網点領域ＲＥ２には、網点ＳＤ２が形成されてなる。特色の本来色濃度値を上述のようにｓと表すものとする。図３（ｂ）は、ｓ＝０．８の場合を例示している。この場合もやはり、網点パターンＰＴ２に空白領域Ｗ２が存在する。
【００４１】
このような網点パターンＰＴ１およびＰＴ２は、本印刷に先立って、ラスターデータに基づくスクリーニングが所定のスクリーニング手段によって行われ、それぞれの版（版データ）が生成されることで得られるものである。係る版データは、単位網点画素（レコーダーグリッド）のｏｎ／ｏｆｆで表現される２値データとして与えられる。実際には、図示したこれらの網点パターンのみならず、本印刷に用いられる全てのプロセスカラーと特色とについて、こうした網点パターンが得られる。
【００４２】
なお、図示および説明の簡単のため、図３（ａ）のプロセスカラーについての網点パターンＰＴ１におけるスクリーン角度は０°であるとし、特色についての網点パターンＰＴ２におけるスクリーン角度は４５°であるとする。
【００４３】
ここで、それぞれの網点パターンは、上述のように網点面積率によって色濃度値を表現するものであるが、各単位網点画素に着目してみれば、ｏｎの位置ではその色のインクがベタで塗られるので色濃度値は１であり、それ以外の位置（ｏｆｆの位置）では色濃度値が０であるとみることができる。従って、重ね刷り状態では、単位網点画素はそのｏｎ／ｏｆｆの組合せに由来して４つの状態に分類されることになる。
【００４４】
図４は、これを具体的に説明すべく、プロセスカラーと特色とが重ね刷りされた状態、つまりは２つの網点パターンＰＴ１とＰＴ２とが重ね合わされた状態（これを重ね刷りパターンＰＴ３と称する）を説明するための図である。重ね刷りパターンＰＴ３においては、上述した単位網点画素の状態に対応して、以下に示す４つの領域Ａ〜Ｄが存在することになる。また、図５は、各領域の状態を表現する量を一覧にして示す図である。図５には、その１つとして、重ね刷りパターンＰＴ３における各領域の面積比率を示す量（Ｘ）が挙げられている。
【００４５】
領域Ａは、両方の網点パターンＰＴ１とＰＴ２においてともに網点が存在する領域（ｏｎの領域）、すなわち、実際に両方のインクの重なりが生じることになる領域である。よって、その面積比率は、それぞれの網点パターンにおいて網点が存在する比率の積、つまりは色濃度値の積Ｐi・ｓとなる。
【００４６】
領域Ｂは、プロセス版の網点パターンＰＴ１では空白領域Ｗ１（ｏｆｆの領域）であったが特色版の網点パターンＰＴ２では網点ＳＤ２が形成されている領域（ｏｎの領域）、つまりは、特色のインクのみが乗る領域である。よって、その面積比率は、空白領域Ｗ１の存在比率と網点ＳＤ２の存在比率の積である(１−Ｐi)・ｓとなる。
【００４７】
領域Ｃは、逆に、特色版の網点パターンＰＴ２では空白領域Ｗ２であったがプロセス版の網点パターンＰＴ１では網点ＳＤ１が形成されている領域、つまりは、プロセスカラーのインクのみが乗る領域である。よって、その面積比率は、網点ＳＤ１の存在比率と空白領域Ｗ２の存在比率との積であるＰi・(１−ｓ)となる。
【００４８】
領域Ｄは、両方の網点パターンＰＴ１とＰＴ２においてともに空白領域であり、重ね刷りによっても空白（紙白の状態）が保たれている領域である。よって、その面積比率は、両者の空白領域の存在比率の積(１−Ｐi)・(１−ｓ)となる。
【００４９】
一方、特色が擬似色化される場合の、網点パターンＰＴ２を構成する各単位網点画素に着目すると、もともとは特色について０か１の（つまりはｏｎ／ｏｆｆの）２値のいずれかのみが各単位網点画素の色濃度値として与えられていたが、擬似色化することで、ｏｎの位置については、擬似色変換率Ｇiそのものがその単位網点画素における一のプロセスカラーについての色濃度値ということになる。なぜならば、該色濃度値は、ベタ状態の色濃度値１と擬似色変換率Ｇiとの積として求まるからである。一方、ｏｆｆの位置は依然０のままである。ここで、０≦Ｇi≦１であるから、ある一のプロセスカラーに着目してみれば、擬似色化後の網点パターンＰＴ２は、形式的には該プロセスカラーについての多値階調パターンであると捉えることができる。従って、擬似色化された後の重ね刷り状態は、ある一のプロセスカラーに関してみれば、色濃度値が０か１のみで与えられる本来のプロセス版による網点パターンＰＴ１と、色濃度値がＧiで与えられる特色版による網点パターンＰＴ２とによって、同じ色のインクによる重ね刷りがなされている状態であると捉えることが出来る。
【００５０】
これを踏まえると、図４に示す各領域について、該プロセスカラーについて擬似色化後の色濃度値を定めることができる。図５においては、これを寄与色濃度値（Ｙ）と称して示している。各領域についての寄与色濃度値は、以下のように説明される。
【００５１】
領域Ａの場合、本来のプロセス版のインクによってベタ状態が実現されるので、寄与色濃度値は１である。
【００５２】
領域Ｂの場合、特色版によるインクのみが乗ることになるので、寄与色濃度値はＧiである。
【００５３】
領域Ｃの場合、本来のプロセス版のインクのみが乗るので、やはりベタ状態となることから寄与色濃度値は１である。
【００５４】
領域Ｄの場合、いずれの版からもインクが乗らないので、寄与色濃度値は０である。
【００５５】
このように、重ね刷りパターンＰＴ３を用いて考えると、重ね刷りが生じている状況での擬似色化は、局所領域ごとに異なる色濃度値を有する多値階調パターンを、各プロセスカラーについて得る処理に相当する、と言うことが出来る。
【００５６】
しかしながら、プルーフ出力においては、このように単位網点画素を最小単位として色濃度値を規定することは現実的ではなく、また、そもそもは、プルーフ用の出力装置が必ずしも本出力と同程度の出力解像度を有するわけでもない。従って、同じ色指定がなされている範囲で色濃度値を平均化することで、その範囲における擬似色化後の色濃度値、つまりはプルーフ色濃度値Ｈiを算出することが実用的である。そのように処理しておけば、その後のプルーフ出力の態様が限定されることはない、というメリットがあるからである。すなわち、プルーフ色濃度値Ｈiを用いて多値階調のままで出力を行うこともできるし、プルーフ出力用に（ある場合には擬似的にであっても）網点形成した上で、出力を行うこともできるからである。ここで、同じ色指定がなされている範囲とは、図５に示す面積比率が適用できる範囲に他ならない。
【００５７】
このように考えると、プルーフ色濃度値Ｈiは、図４に示す各領域Ａ〜Ｄの寄与濃度値（Ｙ）を、面積比率（Ｘ）で重み付けして総和することで、算出できることになる。すなわち、あるプロセスカラーについては、
Ｈi＝Ｐi・ｓ・１＋(１−Ｐi)・ｓ・Ｇi＋(１−ｓ)・Ｐi・１＋(１−Ｐi)・(１−ｓ)・０
Ｈi＝Ｐi・ｓ＋(１−Ｐi)・ｓ・Ｇi＋(１−ｓ)・Ｐi
Ｈi＝Ｐi・ｓ＋（１−Ｐi）・ｓ・Ｇi＋Ｐi−Ｐi・ｓ
∴Ｈi＝Ｐi＋ｓ・Ｇi−Ｐi・ｓ・Ｇi    （式１：再掲）
となって、式１が導かれることになる。
【００５８】
式１は、あるプロセスカラーについてのプルーフ色濃度値Ｈiを、本来色濃度値Ｐiと、擬似色濃度値ｓ・Ｇiとの和から、両者の積を差し引くことによって得ることを示している。
【００５９】
ここで、式１は、
Ｈi＝Ｐi＋(１−Ｐi)・ｓ・Ｇi      （式２）
と変形することが出来る。式２を見ると、第１項は特色に関係するｓやＧiを含まず、本来のプロセス版に由来する本来色濃度値Ｐiそのもので構成されている。よって、第２項が、特色を擬似色化して重ね刷りすることによる色濃度値の重畳分に相当するものであるといえる。
【００６０】
すなわち、本実施の形態では、擬似色化を伴ってプルーフ出力用データを得る場合、あるプロセスカラーについては、本来色濃度値Ｐiを越えてベタ状態に達するまでに必要な色濃度分（１−Ｐi）と、該プロセスカラーについての擬似色濃度値ｓ・Ｇiとに比例する量を本来色濃度値に加えることで、プルーフ色濃度値を得る、ということになる。
【００６１】
式２について上記と別の見方をすれば、第１項、すなわちプロセス版における本来色濃度値Ｐiが大きい場合には擬似色化後のプルーフ色濃度値Ｈiはほとんどプロセス版で左右されてしまう（第２項→０）こと、および、プロセス版の本来色濃度値Ｐiが固定であれば、擬似色濃度値ｓ・Ｇiが大きいほど擬似色化後のプルーフ色濃度値Ｈiが増加することを表現している。このことは、プロセスカラーの階調変化と特色の階調変化がともにプルーフ色濃度値Ｈiに反映されることを意味しており、式１が妥当な色変換を実現することを裏付けるものである。
【００６２】
また、式１を変形すると、
Ｈi＝(１−ｓ・Ｇi)・Ｐi＋ｓ・Ｇi          （式３）
となり、プルーフ色濃度値Ｈiは、プロセスカラーについての本来色濃度値Ｐiの一次関数で表される。ここで、式３の一次関数は、定義域０≦Ｐi≦１で単調増加であり、そのときの値域はｓ・Ｇi≦Ｈi≦１となり、かつＨi＝１となるのはプロセス版がベタ塗りのＰi＝１の場合または特色版についてｓ・Ｇi＝１の時（これは該特色版が実際にはプロセス版である場合に相当する）のみである。すなわち、ＭＡＸ合成法を採用した場合に生じる、１を越える色濃度値が算出されることで色濃度が飽和し、色成分の情報が正確に反映されない、といった状況が、式１（式３）による変換演算では起こりえないことを意味している。このことも、妥当な色変換がなされることを裏付けるものである。
【００６３】
なお、式１はスクリーン角度とは無関係に成立するので、図３に示した場合とは異なるスクリーン角度が各網点パターンに与えられる場合であっても、式１は同様に適用可能である。
【００６４】
以上、説明したように、本実施の形態に係る画像データ変換装置１によれば、変換演算部４において式１（もしくは式２あるいは式３）に従った変換処理を行うことにより、特色を含む色表現がなされているビットマップ形式の画像データ（ラスターデータ）から、該特色を含まない色表現によるビットマップ形式の画像データであって、重ね刷り状態を表現する色濃度値を適切に与えることが出来る画像データ（プルーフ出力用データ）を、生成することが出来る。
【００６５】
＜第２の実施の形態＞
第１の実施の形態においては、ある１つの特色についての特色版がプロセス版と重ね刷りされる場合を対象に、該特色が擬似色化される場合の変換演算について説明しているが、本実施の形態においては、２つの相異なる特色が重ね刷りされる場合を対象に、その両方の特色が擬似色化される際の変換演算について説明する。特色のみを用いた重ね刷りの状態のプルーフ出力を、プロセスカラーのみが表現できるプルーフ用出力装置で実現しようとする場合に、係る変換演算が必要となる。この場合についても、第１の実施の形態と同様の議論によって、色変換処理のための変換演算式を導出することが出来る。なお、本実施の形態における画像データ変換装置１の各部の動作は基本的に第１の実施の形態と同様であるので、その詳細な説明は省略する。
【００６６】
上述のような場合、一方の特色（これを特色１と称する）についての網点パターンのスクリーン角度を０°、もう一方の特色（これを特色２と称する）についての網点パターンのスクリーン角度を４５°とすると、図６に示すような重ね刷りパターンＰＴ４が得られることになる。重ね刷りパターンＰＴ４においても、図４に示した重ね刷りパターンＰＴ３と同様に、以下に示す４つの領域Ｅ、Ｆ、Ｇ、Ｈが存在することになる。そして、擬似色化の際の、それぞれの領域についての寄与色濃度値についても、第１の実施の形態における考え方を当てはめることにより、同様に求めることができる。図７は、このようにして得られる４つの領域Ｅ、Ｆ、Ｇ、Ｈの状態を表現する量を一覧にして示す図である。ただし、特色１および特色２の本来色濃度値がそれぞれｓ１、ｓ２であり、両者の擬似色変換率がそれぞれＧ１i、Ｇ２iであるとする。
【００６７】
領域Ｅは、特色１と特色２の両方のインクの重なりが生じることになる領域である。よって、その面積比率は、それぞれの網点パターンにおいて網点が存在する比率の積、つまりは色濃度値の積ｓ１・ｓ２となる。また、この領域Ｅの寄与色濃度値をＧ１２iとすると、領域Ｅでは、特色１を擬似色化して得られる擬似色濃度値にてベタ塗りがされた上に、特色２について擬似色化したうえでベタ塗りがされている、と考えることが出来るので、式１で、Ｐ１i＝Ｇ１i、ｓ＝１、Ｇi＝Ｇ２iとすることで、寄与色濃度値をＧ１２iを求めることが出来る。すなわち、
Ｇ１２i＝Ｇ１i＋１・Ｇ２i−Ｇ１i・１・Ｇ２i 
∴Ｇ１２i＝Ｇ１i＋Ｇ２i−Ｇ１i・Ｇ２i    （式４）
と表すことができる。
【００６８】
領域Ｆは、特色２のインクのみが乗る領域である。よって、その面積比率は、(１−ｓ１)・ｓ２となる。また、寄与色濃度値はＧ２iとなる。
【００６９】
領域Ｇは、特色１のインクのみが乗る領域である。よって、その面積比率は、ｓ１・(１−ｓ２)となる。また、寄与色濃度値はＧ１iとなる。
【００７０】
領域Ｈは、重ね刷りによっても空白が保たれている領域である。よって、その面積比率は、(１−ｓ１)・(１−ｓ２)となる。また、寄与色濃度値は０である。
【００７１】
これらの値をもとに、第１の実施の形態と同様に、寄与色濃度値を面積比率で重み付きすることでプロセスカラーについてプルーフ色濃度値を導出すると、
Ｈi＝ｓ１・ｓ２・(Ｇ１i＋Ｇ２i−Ｇ１i・Ｇ２i)＋(１−ｓ１)・ｓ２・Ｇ２i＋ｓ１・(１−ｓ２)・Ｇ１i＋(１−ｓ１)・(１−ｓ２)・０
Ｈi＝ｓ１・ｓ２・Ｇ１i＋ｓ１・ｓ２・Ｇ２i−ｓ１・ｓ２・Ｇ１i・Ｇ２i＋ｓ２・Ｇ２i−ｓ１・ｓ２・Ｇ２i＋ｓ１・Ｇ１i−ｓ１・ｓ２・Ｇ１i
∴Ｈi＝ｓ１・Ｇ１i＋ｓ２・Ｇ２i−ｓ１・Ｇ１i・ｓ２・Ｇ２i    （式５）
となる。式５は、あるプロセスカラーについてのプルーフ色濃度値Ｈiを、それぞれの特色についての擬似色濃度値ｓ１・Ｇ１iおよびｓ２・Ｇ２iの和から、両者の積を差し引くことによって得ることを示している。
【００７２】
よって、本実施の形態の場合、変換演算部４は、ラスターデータＤＲからプロセスカラーのそれぞれの特色の本来色濃度値ｓ１，ｓ２を取得するとともに、それぞれの特色の擬似色変換率Ｇ１i、Ｇ２iを特色情報ＩＳから取得して、式５の変換演算を行うことにより、各画像領域について、画素単位、各プロセスカラー単位で、プルーフ色濃度値Ｈiを算出することになる。
【００７３】
なお、式５は、
Ｈi＝ｓ１・Ｇ１i＋（１−ｓ１・Ｇ１i）ｓ２・Ｇ２i    （式６）
と変形できる。式６において、第１項は特色１の寄与を示し、第２項は特色２の寄与を示すものであるといえる。よって、式６によれば、それぞれの特色版の階調変化がともにプルーフ色濃度値Ｈiに反映されることは明らかである。
【００７４】
さらに、式５は、
Ｈi＝（１−ｓ２・Ｇ２i）ｓ１・Ｇ１i＋ｓ２・Ｇ２i    （式７）
と変形できるので、式７はｓ１・Ｇ１iの単調増加の一次関数であるといえる。よって、式３について行った議論と同様に、式７において得られるプルーフ色濃度値Ｈiが飽和することはない。
【００７５】
すなわち、本実施の形態においても、画像データ変換装置１は、変換演算部４において式５（もしくは式６あるいは式７）に従った変換処理を行うことにより、２種類の特色による色表現がなされているビットマップ形式の画像データ（ラスターデータ）から、該特色を含まないプロセスカラーのみの色表現によるビットマップ形式の画像データであって、重ね刷り状態を表現する色濃度値を適切に与えることが出来る画像データ（プルーフ出力用データ）を、生成することが出来る。
【００７６】
なお、式５において、ｓ１→Ｐi、Ｇ１i→１、ｓ２→ｓ、Ｇ２i→Ｇiと置き換えると、式５は式１と一致する。これは、特色１が実際にはプロセスカラーそのものである場合に相当する。ある特色の擬似色変換率Ｇiについていずれか１つのプロセスカラーに係る成分を１とし、他については０と与えると、その特色はその成分についてのプロセスカラーそのものに一致するということを考えると、式５は式１の一般式であると考えることが出来る。
【００７７】
＜変形例＞
なお、上述の各実施の形態においては、主としてプロセスカラーがＣＭＹＫの４色である場合を念頭に置いて説明しているが、上述した式１や式５は、プロセスカラーの色数に問わず、それぞれの色成分について等価に成り立つので、プロセスカラーの色数の多少は関係しない。従って、上述の各式は、特色を、４色より多い色数のプロセスカラーによって擬似色化する場合についても同様に成り立つことは言うまでもない。例えば、６色をプロセスカラーとする場合であっても適用可能である。
【００７８】
また、３つ以上の特色版について擬似色化を行う場合は、上述の実施の形態の変換演算処理を繰り返すことで、同様に処理が可能である。
【実施例】
【００７９】
（実施例）
図８に示す重ね刷り状態を例に、第１の実施の形態に係る色変換を具体的に説明する。図８（ａ）には、Ｃ版、Ｍ版、Ｙ版、Ｋ版の４つのプロセス版と特色ｓ１についてのｓ１版なる特色版とによってそれぞれ得られることになる分版画像ＩＭｃ、ＩＭｍ、ＩＭｙ、Ｉｍｋ、Ｉｍｓを示している。図８（ｂ）には、これらの版を用いた重ね刷りによって、得られる印刷像ＩＭを示している。ここで、Ｋ版以外の各版についてはそれぞれ、（ａ）に示す円形領域（Ｐｃ領域、Ｐｍ領域、Ｐｙ領域、ｓ１領域）に対し所定の色濃度値が設定されているものとする。Ｋ版については、ｓ１領域以外に色濃度値が設定されているものとする。図９は、このときの各版についての色指定を一覧にして示す図である。図９において指定されている色濃度値が本来色濃度値に相当する。すなわち、ＰC＝０．７、ＰM＝０．８２、ＰY＝０．９、ＰK＝０．０３、ｓ＝０．８である。
【００８０】
なお、図９において、Ｐｃ−ｓ１領域とはＣ版の像とｓ１版の像とが重なる領域を指し示しており、Ｐｍ−ｓ１領域とは、Ｍ版の像とｓ１版の像とが重なる領域を指し示している。すなわち、これらの２つの領域が、プルーフ色濃度値の特色ｓ１について擬似色化を行った場合に、その色表現が注目視される領域である。
【００８１】
また、図１０は、特色ｓ１について、特色情報ＩＳとして定められている各プロセスカラーについての擬似色変換率を一覧にして示す図である。なお、図１１は、この擬似色変換率と特色ｓ１についての本来色濃度値より求められる、各プロセスカラーについての擬似色濃度値を一覧にして示す図である。
【００８２】
そして、図１２は、図９に示した本来色濃度値と図１０に示した擬似色変換率とを用いて、式１に基づいて算出した、Ｐｃ−ｓ１領域とＰｍ−ｓ１領域とについてのプルーフ色濃度値を一覧にして示す図である。図１２を図９と比較すると、いずれの領域についても、擬似色化前に本来色濃度値が０であった色成分については、図１１に示した擬似色濃度値がプルーフ色濃度値として与えられている（斜字体にて示す）。これは、その色成分については各領域についてプロセスカラーによる像が形成されていないことから、実質的に重ね刷りがなされていない場合と同様の状態を示しているに過ぎない。
【００８３】
一方、擬似色化前に本来色濃度値が０でなかった色成分についてみると、Ｐｃ−ｓ１領域のＣ版については値が本来色濃度値から０．０７増加しているのみであり、同様に、Ｐｍ−ｓ１領域のＭ版についても本来色濃度値から０．０５増加しているに過ぎない（二重線枠で示す）。プロセス版のみの場合に比して色濃度値が増加していると言うことは、特色版について重ね刷りすることによる色濃度の変化が反映されているということを示すものであるといえる。そして、その増分が擬似色濃度値よりも小さいということは、本来色濃度値に比して擬似色濃度値が小さいことから、重ね刷り状態に対する特色の寄与は、プロセスカラー（Ｐｃ−ｓ１領域ではＣ、Ｐｍ−ｓ１領域ではＭ）に比して小さい、ということに対応するものであるといえる。一方、Ｋ版については本来色濃度値と擬似色濃度値との単純和とほぼ一致する（プルーフ色濃度値の正確な値は０．０６９８）が、これは、本来色濃度値と擬似色濃度値の双方が小さい場合は、これらの単純和を用いる場合とほぼ同じ値が得られることを示している。これは、式２において第二項の括弧内の値がほぼ１と近似できることに相当する。
【００８４】
（比較例１）
図１３は、図９の場合について、仮にＡｄｄ合成法を用いた場合に得られる、Ｐｃ−ｓ１領域とＰｍ−ｓ１領域との色成分を一覧にして示す図である。すなわち、図１１の各色成分は、図９に与えられている各領域についての本来色濃度値と、図１１に与えられている擬似色濃度値との単純和として与えられている。この場合、Ｐｍ−ｓ１領域のＭ版の色濃度値が、１を越えてしまうことになる（二重線枠で示す）。すなわち、Ａｄｄ合成法の場合、Ｐｍ−ｓ１領域については、１を越えた分についての階調表現が無視されてしまう、という状況が生じることになる。
【００８５】
上述の実施例の場合には、このようなことは生じていないことから、第１の実施の形態における変換処理は、擬似色化後の重ね刷り状態を表現する色濃度値を得る方法として、Ａｄｄ合成法よりも優れているものといえる。
【００８６】
（比較例２）
図１４は、図９の場合について、仮にＭＡＸ合成法を用いた場合に得られる、Ｐｃ−ｓ１領域とＰｍ−ｓ１領域との色成分を一覧にして示す図である。すなわち、図１１の各色成分は、図９に与えられている各領域についての本来色濃度値と、図１１に与えられている擬似色濃度値とを比較して、大きい方の値が採用されたものである。この場合、Ｐｃ−ｓ１領域のＣ版の色濃度値とＰｍ−ｓ１領域のＭ版の色濃度値が、本来色濃度値と同じ値となる（いずれも二重線枠で示す）。すなわち、ＭＡＸ合成法の場合、これらの領域については、重ね刷りにより生じるはずの色濃度値の増加が無視されてしまう、という状況が生じることになる。
【００８７】
上述の実施例の場合には、このようなことは生じていないことから、第１の実施の形態における変換処理は、擬似色化後の重ね刷り状態を表現する色濃度値を得る方法として、ＭＡＸ合成法よりも優れているものといえる。
【図面の簡単な説明】
【００８８】
【図１】第１の実施の形態に係る画像データ変換装置１の構成を概略的に示す図である。
【図２】画像データ変換装置１の制御部１６において実現される機能を説明するための図である。
【図３】あるプロセスカラーについてのプロセス版により得られる網点パターンを模式的に示す図である。
【図４】第１の実施の形態における重ね刷りパターンＰＴ３を説明するための図である。
【図５】重ね刷りパターンＰＴ３の各領域の状態を表現する量を一覧にして示す図である。
【図６】第２の実施の形態における重ね刷りパターンＰＴ３を説明するための図である。
【図７】重ね刷りパターンＰＴ４の各領域の状態を表現する量を一覧にして示す図である。
【図８】実施例の重ね刷り状態を示す図である。
【図９】実施例における各版の色指定を一覧にして示す図である。
【図１０】実施例の特色ｓ１についての擬似色変換率を一覧にして示す図である。
【図１１】実施例の擬似色濃度値を一覧にして示す図である。
【図１２】実施例ののプルーフ色濃度値を一覧にして示す図である。
【図１３】比較例１におけるＡｄｄ合成の結果を一覧にして示す図である。
【図１４】比較例２におけるＭＡＸ合成の結果を一覧にして示す図である。
【符号の説明】
【００８９】
１  画像データ変換装置
２  データ取得部
３  変換処理指示部
４  変換演算部
５  出力処理部
６  特性情報生成部
１３  記憶部
１３ｄ  特色情報データベース
ＤＰ  プルーフ出力用データ
ＤＲ  ラスターデータ
ＩＭ  印刷像
ＩＭｃ、ＩＭｍ、ＩＭｙ、Ｉｍｋ、Ｉｍｓ  分版画像
ＰＴ１、ＰＴ２  網点パターン
ＰＴ３、ＰＴ４  重ね刷りパターン
ＲＥ１、ＲＥ２  単位網点領域
ＳＤ１、ＳＤ２  網点
Ｗ１、Ｗ２  空白領域
【図１】
2006303686.tif 000003
【図２】
2006303686.tif 000004
【図５】
2006303686.tif 000005
【図７】
2006303686.tif 000006
【図８】
2006303686.tif 000007
【図９】
2006303686.tif 000008
【図１０】
2006303686.tif 000009
【図１１】
2006303686.tif 000010
【図１２】
2006303686.tif 000011
【図１３】
2006303686.tif 000012
【図１４】
2006303686.tif 000013
【図３】
2006303686.tif 000014
【図４】
2006303686.tif 000015
【図６】
2006303686.tif 000016